(57)【要約】      （修正有）【課題】罠に掛った狩猟獣が暴れて近づけない状態の狩猟獣を仕留める狩猟獣捕獲装置を提供する。【解決手段】狩猟獣捕獲装置１は引掛金具２、結束装置５、ロープ６、引掛金具脱着装置４、柄７、から構成する。引掛金具２は、突先が鋭角に尖っていて手前に曲がっているため、狩猟獣１１に引掛け、突きたてて少し引くだけで曲がっている所まで突き刺さり、狩猟獣１１から抜けなくなる。該引掛金具２は、柄７に装備された引掛金具脱着装置４からはずれて狩猟獣１１に掛ったままになり、該引掛金具２の水平部中央付近に装備された結束装置５に結束されたロープ６を引き付けることにより、走り回る狩猟獣１１の動きを止めることができる。そして、該ロープ６の一端を、生えている竹・木１３に縛りつけることにより、狩猟獣１１の動きを完全に止めることができる。【選択図】図５
0003150885.tif 000002
【実用新案登録請求の範囲】
【請求項１】
先端が鋭利である釘であって、鋭利側の部分が鉤状であり、水平部中央付近に１個の輪状の金属輪を備えた引掛金具と、銃刀法による持ち運びの規制に掛からない刃渡り15センチメートル以下、切先角度が60度以上であるナイフを、柄脱着装置の表面側と裏面側に、それぞれに取り付けたことを特徴とする狩猟獣捕獲装置。
【請求項２】
前記柄脱着装置の裏面側に取り付けた引掛金具取付部材の上端側に凹状の窪みを設け、引掛金具の輪状の金属輪が入り込むことを特徴とする請求項１記載の狩猟獣捕獲装置。
【考案の詳細な説明】
【技術分野】
【０００１】
本発明は、罠の狩猟免許しかない狩猟者が、罠に掛った狩猟獣が一本の脚を縛られ、走り回って近づけない状態の狩猟獣を仕留める狩猟獣捕獲装置に関するものである。
【背景技術】
【０００２】
近年、野生のイノシシ、シカ等の大量発生により、山林、農作物に被害が生じている。最近までは猟銃によって駆除、および狩猟が行われていたが、国内においては猟銃による事故が多発することにより、国および各県の猟銃の数量を減らす方針によって、罠だけの狩猟免許しかない狩猟者が増加しているのである。
【０００３】
しかし罠の狩猟免許しかない狩猟者は、現実には近付くことのできない狩猟獣に対して、銃刀法の規制による刃渡り15センチメートル以下、切先角度60度以上のナイフで、罠であるワイヤーによって一本の脚を縛られ、走り回る狩猟獣を怪我せず、安全に仕留めることは不可能に近いのである。結果的に、国および各県において減らす方針の猟銃狩猟免許者の猟銃で撃って仕留めてもらうしか方法がないのが現状である。
【０００４】
又、猟銃免許者も猟銃で狩猟獣を撃った後の仕留めの際であっても急に狩猟獣が動きはじめることがあり、噛みつかれたり、牙で突かれたりすることが有るために長い刃渡りのナイフが欲しいのであるが、銃刀法の規制が有り持つことができないため、短いナイフの柄を長くすることが必要とされる。罠の免許狩猟者も猟銃狩猟免許者も同様に長い柄のナイフが必要とされる。
【０００５】
狩猟獣を捕獲するためには狩猟獣の足を縛るだけでは狩猟獣の捕獲は完成したとは言えないのである。足を縛られた狩猟獣は走り回るために罠であるワイヤーを切ったり、ワイヤーが外れたり、又、狩猟獣自らが足をちぎって飛びかかって来るのである。罠の狩猟免許者はそのために猟銃狩猟免許者に依頼して猟銃で撃ってもらって血抜きをして、はじめて狩猟獣捕獲の完了なのである。しかし、猟銃狩猟免許者に依頼をしないで罠の狩猟免許者だけでの狩猟獣捕獲の完了が必要とされる。
【特許文献１】特開２００７−２８９６４号公報
【考案の開示】
【考案が解決しようとする課題】
【０００６】
国および各県の方針によって猟銃狩猟免許者の減少が進むにつれて、罠免許のみの狩猟者は、猟銃狩猟者による仕留めを依頼できなくなり、罠の狩猟免許しかない狩猟者は、罠に掛った狩猟獣の自然の死を待つか、怪我を覚悟で仕留めなければならないのである。狩猟獣を、猟銃を使用せずに、また、怪我をしないで安全に狩猟獣を仕留めるには、該狩猟獣の動きを止めることが大事である。そして、法に触れない刃渡りの短いナイフで、怪我をしないで安全に仕留めることが大事である。
【課題を解決するための手段】
【０００７】
先端が鋭利である釘であって、鋭利側の部分が鉤状であり、水平部中央付近に１個の輪状の金属を備えた引掛金具と、銃刀法で持ち運びの規制に掛からない刃渡り15センチメートル以下、切先角度が60度以上であるナイフを円筒の表面側と裏面側にそれぞれに取付けたことを特徴とする狩猟獣捕獲装置である。
【０００８】
前記円筒の裏面側に取付けた引掛金具取付部材の上端側に凹状の窪みを設け、引掛金具の輪状の金属輪が入り込むことを特徴とする請求項１記載の狩猟獣捕獲装置である。
【考案の効果】
【０００９】
本発明によれば、罠の狩猟免許しかない狩猟者が、罠に掛った走り回っている狩猟獣を仕留めようとすると噛みつかれたり、牙で突かれたりと非常に危険であるが、本発明の引掛金具を狩猟獣に引掛けてロープを引くことにより、狩猟獣の動きを止めることができる。
【００１０】
前記狩猟獣捕獲装置の、引掛金具の水平部よりの角度は水平部より手前に30度から60度、また、引掛金具の突先の角度は15度以下とすることにより、狩猟獣に失敗なく一瞬時に引掛けることができる。
【００１１】
前記狩猟獣捕獲装置の引掛金具脱着装置において、狩猟獣に引掛金具の突先を引掛けて、柄を水平方向に引くことにより、該引掛金具脱着装置により脱着自在の引掛金具が外れると同時に、引掛金具の突先が狩猟獣に引っ掛る構造のものである。走り回る狩猟獣のそばに近づくことができるのは一瞬であり、その一瞬時に引掛金具を狩猟獣に引掛けると、引掛金具の突先が水平方向から手前に鋭角に曲がっており、突先が鋭く尖っているため、柄に装備された引掛金具脱着装置から引掛金具が柄と水平方向に引き抜かれて、狩猟獣に引っ掛かったままになる。
【００１２】
また、前記引掛金具脱着装置に引掛金具を差し込んで、脱着自在に引掛金具が装備されるのであるが、該引掛金具は狩猟獣に引掛ける時に、脱着装置および引掛金具が共に丸形であるため、引掛金具の突先が回転をして、狩猟獣に掛らないのである。そこで、引掛金具脱着装置の一端に凹状の窪みを装備し、該凹状の窪みに引掛金具の水平部中央付近に装備された結束装置を入り込ませることにより、引掛金具の突先の回転を止めることができ、狩猟獣の狙ったところへ失敗なく、一瞬時に引掛けることができる。
【００１３】
現状では、罠の狩猟免許者は狩猟獣が罠に掛っているかいないか、常時山中を見回っているのであるが、該狩猟獣が罠に掛ったのを見つけると、猟銃狩猟免許者に依頼して、猟銃で撃ってもらって仕留めてもらうのである。ここで、仕留めるということの説明であるが、銃で狩猟獣を殺すだけでは死んだ狩猟獣は食料にはできず、必ず血抜きをしなければならないのである。血抜きとは、狩猟獣が生きて心臓が動いている間に頸動脈を切って、血をぬくのである。罠に掛った狩猟獣も、猟銃で撃った狩猟獣も、必ず頸動脈を切って血抜きをして、仕留めるのである。これより以後、殺して血抜きをすることを仕留めと表す。
【００１４】
前記のごとく走り回る狩猟獣に、柄の一端の着脱可能なロープ付引掛金具を狩猟獣に引掛けると、柄の一端に装備された脱着可能なロープ付引掛金具が柄から引き抜かれてはずれても狩猟獣に引っ掛かったままの状態になる。そこでロープの一端をそばに生えている竹や木に縛ることにより、罠のワイヤーと狩猟獣と引掛金具とロープを一直線にすることができ、狩猟獣が走り回るのを完全に止めることができる。
【００１５】
狩猟獣が罠に掛っているかいないかを見回るため、山中の草木の繁茂している藪の中、狩猟獣捕獲装置を持ち運ぶ時に、柄が長いと藪の中の草木に引っ掛かって持ち運びに苦労するのである。そこで、柄の一端を脱着可能な抜き差しができる形状にして、狩猟獣が罠に掛ったのを見つけてから、付近にある竹や木を切って柄として利用でき、また、脱着可能なため、持ち運びに適さないどんなに長い竹や木でも切り取って柄として差し込んで利用でき、安全に狩猟獣を捕獲できる。
【００１６】
狩猟獣捕獲装置に装備された柄脱着装置の一端に、脱着可能なナイフを装備することにより、銃刀法で持ち運びが可能な刃渡り15センチメートル以下、切先角度60度以上のナイフでも、柄を長くすることで、安全に狩猟獣を仕留めることができる。また、ナイフは必ず切れなくなるが、切れなくなり研ぐことが必要になっても、脱着可能なため、ビスを脱して容易に研ぐことができる。
【考案を実施するための最良の形態】
【００１７】
図１は、本発明による狩猟獣捕獲装置の概要を示す側面図である。同図において、１は罠に掛った狩猟獣を安全に仕留める狩猟獣捕獲装置である。該狩猟獣捕獲装置は引掛金具２、結束装置５、ロープ６、引掛金具脱着装置４、柄７、から構成されている。
【００１８】
同図において引掛金具２は、突先が鋭角に尖っていて手前に曲がっているため、狩猟獣１１に引掛け、突きたてて少し引くだけで曲がっている所まで突き刺さり、狩猟獣１１から抜けなくなるのである。該引掛金具２は、柄７に装備された引掛金具脱着装置４からはずれて狩猟獣１１に掛ったままになり、該引掛金具２の水平部中央付近に装備された結束装置５に結束されたロープ６を引き付けることにより、走り回る狩猟獣１１の動きを止めることができる。そして、該ロープ６の一端を、生えている竹・木１３に縛りつけることにより、罠のワイヤー１２、狩猟獣１１、引掛金具２、結束装置５、ロープ６を一直線にすることができ、狩猟獣１１の動きを完全に止めることができる。
柄７と引掛金具脱着装置４は固定されていて、引掛金具脱着装置４と引掛金具２は抜いたり差したりの脱着自在である。引掛金具脱着装置４は、引掛金具２を紐等で縛る、バネ状にして挟み込む、筒状のものに差し込む等いずれの方法でも脱着自在であれば支障はない。また、ロープ６の結束装置５は図示では輪状で表しているが、突起物を施す等、狩猟獣１１を引掛けてロープ６を引いても、ロープ６から引掛金具２がはずれないように結束できれば、いずれの方法であっても支障はない。
【００１９】
また、ロープ６は狩猟獣１１を引掛金具２で引っ掛けて引きつけても、切断しない程度の強度があれば良いのであるが、該ロープ６を手で持って引きつける時にすべらないようにするには、直径５ミリメートル以上であることが望ましい。また、引掛金具２は柄７の方向の手前に曲がっているのであるが、その角度αは引掛金具２の水平部より30度から60度程度で、ロープ６を少し引くだけで狩猟獣１１に引っ掛けやすくすることができる。また、引掛金具２の突先の角度βは15度以下まで鋭く尖らせることで、狩猟獣１１に引っ掛けやすくすることが望ましい。
【実施例１】
【００２０】
図２は、本発明による引掛金具脱着装置の概要を示す側面図、および展開図である。
図２−１は引掛金具脱着装置４に凹状の窪み３を装備した概要を示す平面図、および正面図である。
図２−２は引掛金具脱着装置４の引掛金具２に装備された結束装置５、ロープ６の脱着の概要を示す側面展開図である。
図２−３は、引掛金具脱着装置４の凹状の窪み３に、引掛金具２に装備された結束装置５が装備された概要を示す平面図である。
【００２１】
走り回る狩猟獣１１に狩猟者が近づくことができるのは一瞬であり、その一瞬時に引掛金具２を引っ掛ける時に引掛金具脱着装置４が筒形であり、また、引掛金具２も丸形であるために回転するのであるが、引掛金具脱着装置４に図２−１に図示のごとく凹状の窪み３を装備し、該凹状の窪み３に引掛金具２の水平部中央付近に装備された結束装置５が入り込むことにより、該引掛金具２の突先が狩猟獣１１に引掛ける時に左右に回転するのを止めることができ、該狩猟獣１１に失敗なく引掛金具２の突先を引っ掛けることができる。なお、引掛金具２の突先の回転を止める方法としては、脱着装置４と引掛金具２の形状を、共に三角形、四角形、および多角形にする等、引掛金具２の突先の回転を止めることができれば、いずれの方法でも支障はない。
【実施例２】
【００２２】
図３は、本発明による狩猟獣捕獲装置の、引掛金具脱着装置４と柄７と柄脱着装置８の概要を示す側面図である。同図において、引掛金具脱着装置４は、柄７の一端への装備が必要である。しかし、狩猟獣１１が罠のワイヤー１２に掛っているかを見回るときには、山中の草や木が繁茂している所を狩猟獣捕獲装置を持ち運ぶのであるが、該狩猟獣捕獲装置の柄７が長すぎて、草や木に引っ掛かって持ち運びが大変である。
【００２３】
引掛金具２の、引掛金具脱着装置４が、柄７に固定されているのであるが、山中での持ち運びが容易にできるように、柄７の一端を短くして、該柄７をパイプ形状の竹や木を抜き差しできる柄脱着装置８として装備し、狩猟獣１１が罠のワイヤー１２に掛っているのを見つけてから、付近に生えている竹や木を切って柄脱着装置８に差し込み、長い柄７とすることができるようにした狩猟獣捕獲装置である。なお、図示３は、柄７と付近にある竹や木を柄７として、柄脱着装置８のパイプに差し込む図示であるが、柄脱着装置８は紐で縛る、ビスで留める等、脱着自在であればいずれの方法でも支障はない。また、柄７は釣竿のように伸び縮みができるものを柄７として利用しても支障はない。
【実施例３】
【００２４】
図４は、本発明の狩猟獣捕獲装置の、引掛金具脱着装置４が装備された、柄脱着装置８であるパイプに、脱着可能なナイフ脱着装置９を取り付け、銃刀法の所持規制に触れることのない、刃渡り15センチメートル以下、切先角度60度以上のナイフ１０を装備し、罠のワイヤー１２、狩猟獣１１、引掛金具２、結束装置５、ロープ６によって、竹や木１３に縛られ、一直線になって動けなくなった狩猟獣１１の側面に回り込み、柄脱着装置８に取り付けたナイフ脱着装置９によって装備されたナイフ１０で、安全に頸動脈を切るか、心臓を突いて血抜きをして仕留めることができる。なお、ナイフ１０とナイフ脱着装置９は、図示ではネジで固定して脱着可能としているが、紐等で縛るなど脱着自在に固定できれば、いずれの方法でも支障はない。
【実施例４】
【００２５】
図５は、本発明の狩猟獣捕獲装置の罠に掛った狩猟獣１１を仕留める際の実施側面展開図である。狩猟獣１１を正面から仕留めようとすると、狩猟者が突かれたり、噛まれたりして仕留めることができない。また、銃刀法の規制による刃渡り15センチメートル以下、切先角度60度以上のナイフ１０を使用して、正面から頸動脈を切ったり、心臓を突いて仕留めるということは、刃が短すぎるため絶対にできないのである。そこで図示のごとく、竹や木１３に縛られた罠のワイヤー１２と、狩猟獣１１と、引掛金具２と、竹や木１３に縛られたロープ６とによって一直線になって動けなくなった狩猟獣１１の側面から、ナイフ脱着装置９に固定されたナイフ１０で頸動脈を切るか、心臓を突いて血抜きをして仕留めるのである。
【図面の簡単な説明】
【００２６】
【図１】本発明による、狩猟獣捕獲装置の最良の形態を示す概略説明図である。
【図２】本発明による、狩猟獣捕獲装置の引掛金具脱着装置の概要を示す側面図、正面図、平面図である。    図２−１は、引掛金具脱着装置の平面図、および正面図である。    図２−２は、引掛金具脱着装置の引掛金具、およびロープの脱着装置の概要を示す側面展開図である。    図２−３は、引掛金具脱着装置の凹状の窪みへ引掛金具に装備された結束装置が引掛金具脱着装置に装備された概要を示す平面図である。
【図３】本発明による、狩猟獣捕獲装置の柄の長さを調節する形態を示す、柄脱着装置の概略側面展開図である。
【図４】本発明による、狩猟獣捕獲装置の脱着可能ナイフを装備した、ナイフ脱着装置の概略側面展開図である。
【図５】本発明による、狩猟獣捕獲装置の実際の使用方法の概略説明図である。
【符号の説明】
【００２７】
１．狩猟獣捕獲装置
２．引掛金具
３．凹状の窪み
４．引掛金具脱着装置
５．結束装置
６．ロープ
７．柄
８．柄脱着装置
９．ナイフ脱着装置
１０．ナイフ
１１．狩猟獣
１２．罠のワイヤー
１３．竹・木
【図１】
0003150885.tif 000003
【図２】
0003150885.tif 000004
【図３】
0003150885.tif 000005
【図４】
0003150885.tif 000006
【図５】
0003150885.tif 000007